(57)【特許請求の範囲】
【請求項１】
光磁気ディスク上に照射されたレーザ光と変調された磁界とにより情報信号を記録する光磁気記録装置において、
上記光磁気ディスク上にレーザ光を照射する半導体レーザ素子と、
上記半導体レーザ素子からのレーザ光を検出した結果に基づいて上記半導体レーザ素子の出力を制御する駆動回路と、
上記駆動回路からの駆動信号に重畳する周波数が最高記録周波数の２倍以上の重畳信号を発振する発振回路とを備え、
上記発振回路からの重畳信号を記録時の直流成分の光量に対する重畳光量の割合を１０％から２０％となるように上記駆動信号に重畳し、
上記重畳信号は非飽和状態で上記駆動回路からの駆動信号に重畳されることを特徴とする光磁気記録再生装置。
【請求項２】
上記装置は、更に上記光磁気ディスクの再生時に上記駆動回路からの駆動信号に重畳する周波数が数百ＭＨｚの重畳信号を発生する再生用発信回路を備えている請求項１記載の光磁気記録再生装置。
【発明の詳細な説明】
【０００１】
【産業上の利用分野】
本発明は、光と磁界により情報信号を記録する光磁気記録装置、特に半導体レーザ素子を光源として用いる光磁気記録装置に関する。
【０００２】
【従来の技術】
従来、光磁気記録装置としては、光磁気ディスクを情報記録媒体として用い、磁気光学（マグネットオプティック：ＭＯ）効果により情報信号を記録する光磁気ディスクが知られている。
【０００３】
この光磁気ディスクは、磁界変調により情報信号を記録している。この磁界変調は、光源である半導体レーザから光磁気ディスクに連続的にレーザ光を照射した状態で行われる。すなわち、磁界変調による光磁気ディスクへの情報信号の記録は、半導体レーザから連続的に照射されるレーザ光の熱により光磁気ディスクの保磁力を小さくしておいて、外部磁界である例えば電磁石により、磁化の向きを変化させることによって行われる。
【０００４】
一方、このようにして光磁気ディスク上に磁化の向きの変化として記録された情報信号を再生するには、光と磁化の相互作用であるカー効果又はファラデ効果を利用している。磁性体の磁化の向きと平行に光を入射すると、反射光及び透過光の偏光面が回転する。各々の回転角はカー回転角、ファラデ回転角であるが、光の入射する方向に対して磁区の向きが違う場合は、回転する方向が異なる。このため、反射して戻る光のカー回転角の方向の違いを読み取ることによって、情報信号を再生することができる。
【０００５】
このような再生の場合には、光磁気ディスク面からの反射光が半導体レーザに帰還することによって、該半導体レーザが自己発振し出力光が増加するという現象が発生する。このような現象を積極的に取り入れて、帰還反射光による該半導体レーザの出力光の変化から、光磁気ディスク上の情報信号を検出するタイプの光学ピックアップ装置がスクープ（ＳＥＬＦ−ＣＯＵＰＬＥＤ  ＯＰＴＩＣＡＬ  ＰＩＣＫＵＰ：ＳＣＯＯＰ）である。
【０００６】
このスクープは、部品点数が少なくて済み、小型化、軽量化、低価格化が達成できるが、反射光が光源たる半導体レーザに帰還することにより、半導体レーザのノイズ発生が問題となる。このノイズを以下、スクープノイズということにする。このスクープノイズは、上記スクープはもちろん、スクープでないすなわち反射光による半導体レーザ素子の自己発振現象を利用しない光学ピックアップ装置でも問題となる。
【０００７】
このスクープノイズは、直流電流駆動により単一縦モード発振させられる半導体レーザが、微少な変位を伴った光磁気ディスクからの帰還反射光により多重縦モード発振してしまうことにより発生する。この単一縦モード発振と多重縦モード発振とは、光ディスクの変位状態によっては、交互に起こってしまう。単一縦モード発振時のレーザ出力光は大きく、多重縦モード発振時のレーザ出力光は小さい。
【０００８】
このように半導体レーザが光磁気ディスクからの帰還反射光により単一縦モード発振したり、多重縦モード発振したりすることにより、スクープノイズが発生する。このスクープノイズは、情報信号の再生を劣化させる。
【０００９】
このため、再生時において、半導体レーザの駆動電流に図１１に示すような高周波電流を重畳させることが考えられてきた。この重畳高周波電流には、図１１に示すように完全にオン−オフの期間がある。よって、駆動電流にこのような重畳高周波電流を重畳し、半導体レーザを駆動すると、この半導体レーザは、オン−オフ制御により多重縦モード発振する。多重縦モード発振する半導体レーザの光出力は、光磁気ディスクの変位に対して、滑らかに変化し、上記スクープノイズを抑止することになる。
【００１０】
他方、前述したように磁界変調により情報信号を記録する場合には、従来、スクープノイズを考慮していなかった。これは、記録時に半導体レーザから光磁気ディスクに照射するレーザ光出力がハイパワーであるため、スクープノイズにはあまり影響されないと考えられていたためである。
【００１１】
このような従来の磁界変調による情報信号の記録について、図１２を参照しながら説明する。
この図１２では、オートパワーコントロール（ＡＰＣ）回路５２で発振パワーがＡＰＣ制御された半導体レーザ素子５１が出力するレーザ光を抵抗５５と共にＩ−Ｖ変換器５３を構成するフォトダイオード５４が検出している。ここで、フォトダイオード５４は、半導体レーザ素子５１のフロントに位置するように配設され、例えばビームスプリッタ等の光学系により分離された上記レーザ光の一部を検出する。
【００１２】
【発明が解決しようとする課題】
ところで、磁界変調によって、光磁気ディスクに情報信号を書き込む場合、スクープノイズは、書き込み用半導体レーザ素子の光出力を多少変化させてしまう。このレーザ光出力の変動は、変調される磁界の位置を変動させる。この変動された変調磁界の位置は光学的なジッタとなる。
【００１３】
このジッタの発生について、上記図１２と新たに図１３を参照しながら説明する。
すなわち、図１２に示すようにＡＰＣ回路５２で半導体レーザ素子５１を駆動し、この半導体レーザ素子５１から出力されるレーザ光をＩ−Ｖ変換器５３のフォトダイオード５４で検出する場合を設定する。ここで、半導体レーザ素子５１でスクープノイズが発生していると、図１３に示すよう、時間約１μｓｅｃから約１０μｓｅｃ（場合によっては約２０μｓｅｃ）の長さのランダムなパワーの変動すなわちジッタが発生してしまう。
【００１４】
この記録時のジッタは、再生時にエラーレートの劣化、すなわち、記録時が要因のエラーレートの劣化を引き起こす。例えば、ディジタルで記録された情報信号を再生する場合には、ＰＬＬクロックの抜き取りが必要である。しかし、上記ジッタが発生していると、ＰＬＬクロックがジッタに追従しようとするので、時間軸上でエラー、すなわちタイムエラーが生じてしまい、ＰＬＬクロックの抜き取りエラーが発生してしまう。
【００１５】
本発明は、上記実情に鑑みてなされたものであり、スクープノイズによる記録用レーザ光の出力変動を分散し、記録時の磁界の変調される位置変動を抑止し、記録時が要因のエラーレートの劣化を改善する光磁気記録装置の提供を目的とする。
【００１６】
【課題を解決するための手段】
上述したような目的を達成するため、本発明は、光磁気ディスク上に照射されたレーザ光と変調された磁界とにより情報信号を記録する光磁気記録装置において、上記光磁気ディスク上にレーザ光を照射する半導体レーザ素子と、上記半導体レーザ素子からのレーザ光を検出した結果に基づいて上記半導体レーザ素子の出力を制御する駆動回路と、上記駆動回路からの駆動信号に重畳する周波数が最高記録周波数の２倍以上の重畳信号を発振する発振回路とを備え、上記発振回路からの重畳信号を記録時の直流成分の光量に対する重畳光量の割合を１０％から２０％となるように上記駆動信号に重畳し、上記重畳信号が非飽和状態で上記駆動回路からの駆動信号に重畳されるようにしたものである。
【００１７】
本発明は、更に上記光磁気ディスクの再生時に上記駆動回路からの駆動信号に重畳する周波数が数百ＭＨｚの重畳信号を発生する再生用発信回路とを備えている。
【００１９】
【作用】
半導体レーザ素子がレーザ光を情報記録媒体に照射するときには、駆動回路からの駆動信号に最高記録周波数の２倍以上の周波数の重畳信号を重畳するので、スクープノイズによる記録用レーザ光の出力変動を分散し、記録時の磁界の変調される位置変動を抑止し、記録時が要因のエラーレートの劣化を改善する。
【００２０】
【実施例】
以下、本発明に係る光磁気記録装置の２つの実施例（以下第１実施例、第２実施例という）について図面を参照しながら説明する。
先ず、第１実施例は、光磁気ディスクに磁界変調により情報信号を記録する光磁気記録装置である。磁界変調は、光源である半導体レーザ素子から光磁気ディスクに連続的にレーザ光を照射した状態で行われる。すなわち、この第１実施例は、半導体レーザ素子から光磁気ディスクに連続的にレーザ光を照射し、その熱により保磁力を小さくしておいて、外部磁界である電磁石により、磁化の向きを変化させることによって情報信号を記録している。
【００２１】
この第１実施例は、図１に示すように、光源として情報記録媒体である光磁気ディスクに記録用のレーザ光を照射する半導体レーザ素子１１を有している。この半導体レーザ素子１１は、オートパワーコントロール（ＡＰＣ）回路１２により出力レーザ光のパワーが一定となるようにパワー制御されている。また、この半導体レーザ素子１１には、結合コンデンサ１４を介して重畳信号を発振する発振回路１３が接続されている。
【００２２】
この発振回路１３は、ＡＰＣ回路１２から半導体レーザ素子１１に供給される直流駆動信号に重畳する重畳信号を発振する。この重畳信号の周波数は、最高記録周波数の２倍以上であり、５ＭＨｚ以上であることが望ましい。
【００２３】
よって、半導体レーザ素子１１は、周波数が最高記録周波数の２倍以上であり、５ＭＨｚ以上の重畳信号が重畳された駆動信号（以下重畳駆動信号という）により、駆動されてレーザ光を出射する。
【００２４】
ここで、この半導体レーザ素子１１には、図示しない光磁気ディスクからの反射光が帰還する。光磁気ディスクに照射されたレーザ光は、本来、磁界のかけられる位置を加熱するために使われる。しかし、反射光となって、半導体レーザ素子１１に帰還するレーザ光もある。
【００２５】
この半導体レーザ素子１１に帰還した反射レーザ光は、該半導体レーザ素子１１自体を自己発振させる。この自己発振により、スクープノイズが発生することになるが、この第１実施例では、上述したように、半導体レーザ素子１１に周波数が例えば５ＭＨｚ以上の重畳信号が重畳された重畳駆動信号を供給しているので、半導体レーザ１１を多重縦モードのみで発振させることができ、スクープノイズの発生を抑止できる。
【００２６】
この重畳駆動信号により駆動された半導体レーザ素子１１は、記録用のレーザ光を光磁気ディスクに照射する。この際の照射レーザ光の一部は、抵抗１７と共にＩ−Ｖ変換器１５を構成するフォトダイオード１６に供給され、その光量が検出される。
【００２７】
このフォトダイオード１６により検出された光量値により、ＡＰＣ回路１２のパワーコントロールが調整される。
【００２８】
次に、発振回路１３が発振する重畳電流について、図２、図３を参照しながら説明する。
【００２９】
先ず、この重畳信号は、図２に示すような波形である。
すなわち、発振回路１３が発振する重畳信号は、図２に示すように、オン−オフ区間の区別がなく、連続である。
【００３０】
したがって、上記重畳駆動信号は、図２に示すような重畳信号により直流ピークレベルが交流的に変動するような浅い変調がかけられた信号（電流）となる。すなわち、重畳信号は、非飽和状態で駆動信号に重畳されることとなる。
【００３１】
具体的にこの重畳信号は、図３に示すような特性により、その重畳周波数と、重畳レベルとを決定することができる。
この図３は、例えば通常記録再生時、１秒間に４５０ブロックのデータを訂正できる光学ピックアップを用いた場合におけるブロック・エラー・レート（ＢＬＥＲ）の変化を、重畳周波数と、重畳レベルに基づいた重畳レシオとをパラメータとして、求めた結果を示す特性図である。横軸には重畳周波数を、縦軸にはＢＬＥＲをとる。
【００３２】
先ず、縦軸にとったＢＬＥＲについて説明しておく。
一般的に光ディスクにデータを記録又は再生する際には、外からの影響で間違ったデータを記録又は再生してしまうことがある。これらの間違ったデータは、誤り訂正符号によって再生時にある程度までならば訂正することができる。このとき、誤ったデータを訂正するためのディジタルデータの最小単位をブロックという。再生時、光学ピックアップで読み取ることができる１秒間当りのデータは、７３５０ブロックに相当し、読み間違ったブロックは訂正される。
【００３３】
この１秒間に読み取った７３５０ブロックのうち、何ブロックに対して訂正を行ったかを示すのがブロック・エラー・レートすなわちブロック誤り訂正率でありＢＬＥＲと示している。
【００３４】
よって、このＢＬＥＲは、訂正を行ったブロック数をＣＩとすると、
ＢＬＥＲ＝ＣＩ／７３５０
となる。
【００３５】
次に、重畳周波数と共にパラメータとして用いている重畳レシオは、記録時の直流成分の光量Ｄに対する重畳光量の割合を示している。すなわち、この重畳レシオＲは、図２に示す重畳信号Ｓの重畳レベルＡ（ピークＴＯピーク：Ｐ−Ｐ、以下これを重畳Ｐ−Ｐと記す）の１／２のレベルＢ（ゼロＴＯピーク：０−Ｐ、以下これを重畳０−Ｐと記す）を直流成分の光量Ｄで乗算し、この値を％で示したものである。ここで、直流成分の光量Ｄは、半導体レーザ素子１１がレーザ光を出力しているとき、フォトダイオード１６により検出される。
【００３６】
よって、重畳レシオＲは、
0003567472.tif 000002
となる。
【００３７】
図３では、上記重畳レシオＲを２．５、５、１０及び２０％に変化させ、さらに、重畳周波数も変化させながら、上記ＢＬＥＲを測定した結果を示している。
【００３８】
この結果から、重畳周波数が５ＭＨｚ以上で、重畳レシオＲが１０％から２０％の間の場合に好ましいＢＬＥＲとなる。ここで、重畳周波数が５ＭＨｚ以上であるということは、最高記録周波数の２倍以上であるということになる。
【００３９】
ここで、記録時の書き込み情報としては、ＢＬＥＲ測定のために、ＥＦＭ信号（データビットレート〜２．０３Ｍｂｉｔ／Ｓ）を用いている。一方、再生時は、条件を同じくするため、低周波重畳をかけない通常記録時は、ＢＬＥＲ＝６．１×１０ー２となる。一方、ＢＬＥＲの実用限界が、ＢＬＥＲ＝３×１０ー２である。これがランダムエラーであると仮定すれば、ＥＦＭの場合、１ブロックが３２シンボルであり、１シンボルは８ビットであるので、シンボルエラー＝９．４×１０ー４、ビットエラー＝１．２×１０ー４に相当する。
【００４０】
この図３の測定結果から得られた重畳レベル（重畳レシオＲ）及び重畳周波数により半導体レーザ素子を駆動したときと、重畳をオフとして駆動したときでは、スクープノイズの発生が明らかに異なる。
例えば、図４に示すように、単一キャリアと、ノイズとの間の特性変化のようにである。ここで、横軸には、キャリア発振周波数を、縦軸には、振幅を示している。
【００４１】
すなわち、図４の（Ａ）には、重畳をオフした状態での信号レベル（振幅）を示し、図４の（Ｂ）には、重畳をオンにした状態での信号レベル（振幅）を示している。図４の（Ｂ）に示す状態と図４の（Ａ）に示す状態とでは、そのノイズレベルに明らかに差がでた。
【００４２】
ここで、図５にレーザ光出力と半導体レーザの環境温度とを変化させたときの、ノイズレシオの変化特性を示しておく。
横軸にはレーザ光の出力をとり、縦軸にはノイズレシオをとっている。レーザ光出力をあげるとノイズレシオは減少する。また、半導体レーザの環境温度にも、ノイズレシオが影響されることが判る。したがって、この図５の例では、スクープノイズの発生を抑えるのに、半導体レーザ素子１１のレーザ光出力を４．５ｍＷ位とし、使用環境温度をあまり高温にしないことが必要とされることが判る。
【００４３】
以上より、この第１実施例は、半導体レーザ素子１１の駆動電流を直流電流成分に重畳レシオが１０％から２０％で、重畳周波数が５ＭＨｚ以上である重畳電流を重畳した重畳駆動電流としているので、スクープノイズによる記録用レーザ光の出力変動を分散し、記録時の磁界の変調される位置変動を抑止し、記録時が要因のエラーレートの劣化を改善できる。
【００４４】
次に、第２実施例について説明する。
この第２実施例は、光磁気ディスクに磁界変調により情報信号を記録するだけでなく、記録された情報信号の再生も行う光磁気記録再生装置である。
【００４５】
以下、この第２実施例について、図６を参照しながら説明するが、上記図１と同一部には、同一符号を付し、説明を省略する。
この第２実施例も、図６に示すように、光源として情報記録媒体である光磁気ディスクに記録用のレーザ光を照射する半導体レーザ素子１１を用いている。
【００４６】
この半導体レーザ素子１１にＡＰＣ回路１２と、結合コンデンサ１４を介した発振回路１３が接続されているのは、第１実施例と同様である。異なる点は、この第２実施例においては、高周波重畳回路１８が結合コンデンサ１９を介して半導体レーザ素子１１に接続されていることである。
【００４７】
この高周波重畳回路１８は、この第２実施例で光磁気ディスクを再生する場合に用いられる。再生時には、図示しない切り替え部からの制御により、高周波重畳回路１８で数百ＭＨｚの周波数の重畳信号がＡＰＣ回路１２からの直流駆動電流に上記図１１に示すように重畳される。もちろん、重畳電流は、オンーオフ区間を持つことはいうまでもない。一方、記録時には、図示しない切り替え部からの制御により、発振回路回路１３から上記第１実施例と同様に周波数が数ＭＨｚでレベルが１０％〜２０％の重畳信号が上記ＡＰＣ回路１２の直流駆動電流に重畳される。
【００４８】
このため、この第２実施例は、記録及び再生時共に、スクープノイズを抑止することができる。
【００４９】
すなわち、この第２実施例は、第１の実施例と同様に記録時のジッタを抑止し、記録時の磁界の変調される位置変動を改善できる。また、この第２実施例は、再生時にもスクープノイズを抑止することができる。
【００５０】
ここで、第１実施例及び第２実施例で用いられた発振回路１３の具体例を図７に示す。この発振回路１３では、入力端子４１からの論理信号がハイ（Ｈ）レベル信号であるときに、トランジスタＴｒがオフとなり、記録用の重畳信号を発生する。一方、入力端子からの論理信号がロウ（Ｌ）レベル信号であるときには、トランジスタＴｒがオンとなり、記録用の重畳信号の発生を止める。
【００５１】
なお、発振回路１３の他の例としては、図８〜図１０に示す構成が考えられる。
【００５２】
すなわち、図８に示す構成の重畳回路は、セラミック又は水晶の発振子を用いて重畳信号を発振し、図９に示す構成の重畳回路は、ＬＣ回路により重畳信号を発振し、図１０に示す構成の重畳回路は、トランジスタを用いて重畳信号を発振させている。
【００５３】
【発明の効果】
本発明は、発信回路によって最高記録周波数の２倍以上の重畳信号を発信させ、この重畳信号を駆動回路からの駆動信号に重畳するとともに、発信回路からの重畳信号を記録時の直流成分の光量に対する重畳光量の割合を１０％から２０％となるように駆動信号に重畳するものであるので、発信回路によって最高記録周波数の２倍以上の重畳信号を駆動回路からの駆動信号に重畳することによって記録時に光磁気ディスクから戻り半導体レーザ素子に入射するレーザ光に起因するスクープノイズを低減することができ、更に発信回路からの重畳信号を記録時の直流成分の光量に対する重畳光量の割合を１０％から２０％となるように駆動信号に重畳することによってブロックエラーレート小さくすることができる。
【図面の簡単な説明】
【図１】本発明に係る光磁気記録装置を適用した第１実施例の概略構成図である。
【図２】第１実施例で用いる重畳信号を説明するための図である。
【図３】重畳信号の重畳周波数と、重畳レシオに対するＢＬＥＲの特性図である。
【図４】第１実施例の動作を説明するための特性図である。
【図５】レーザ光出力とノイズレシオとの関係を示す特性図である。
【図６】本発明に係る第２実施例の概略構成図である。
【図７】第１実施例及び第２実施例の重畳回路の具体例の回路図である。
【図８】重畳回路の他の具体例の回路図である。
【図９】重畳回路の他の具体例の回路図である。
【図１０】重畳回路の他の具体例の回路図である。
【図１１】再生時の高周波重畳電流を説明するための図である。
【図１２】従来の光磁気記録装置の概略構成図である。
【図１３】スクープノイズのある場合のジッタの発生を説明するための図である。
【符号の説明】
１１・・・・・半導体レーザ素子
１２・・・・・オートパワーコントロール（ＡＰＣ）回路
１３・・・・・発振回路
１４・・・・・結合コンデンサ
１５・・・・・Ｉ−Ｖ変換器
１６・・・・・フォトダイオード
１７・・・・・抵抗
１８・・・・・高周波重畳回路
１９・・・・・結合コンデンサ
【図１】
0003567472.tif 000003
【図２】
0003567472.tif 000004
【図３】
0003567472.tif 000005
【図４】
0003567472.tif 000006
【図５】
0003567472.tif 000007
【図６】
0003567472.tif 000008
【図７】
0003567472.tif 000009
【図８】
0003567472.tif 000010
【図９】
0003567472.tif 000011
【図１０】
0003567472.tif 000012
【図１１】
0003567472.tif 000013
【図１２】
0003567472.tif 000014
【図１３】
0003567472.tif 000015